(57)【要約】【課題】扱室の一側部から抜き差し可能であり、かつ、差し込み方向奥側の奥側受網体と差し込み方向手前側の手前側受網体とに分割して抜き差し可能に構成された受網が備えられた脱穀装置において、奥側受網体及び手前側受網体を容易に抜き差しできるようにしながら、手前側受網体を強い脱穀反力に抗してしっかり支持できるようにする。【解決手段】奥側受網体５０Ｒのうち、扱胴の回転軸芯方向での両端部を下方から受け止め支持する奥側支持部５９が備えられている。手前側受網体５０Ｌのうち、扱胴の回転軸芯方向での両端部を下方から受け止め支持する手前側支持部５２が備えられている。手前側支持部５２は、脱着可能に備えられている。【選択図】図７
2019010071.tif 000002
【特許請求の範囲】
【請求項１】
扱胴が設けられる扱室と、
前記扱胴の下方に設けられるとともに前記扱室の一側部から抜き差し可能であり、かつ、差し込み方向奥側の奥側受網体と差し込み方向手前側の手前側受網体とに分割して抜き差し可能に構成された受網と、が備えられ、
前記奥側受網体が前記扱室に差し込まれた状態において、前記奥側受網体のうち、前記扱胴の回転軸芯方向での両端部を下方から受け止め支持する奥側支持部と、
前記手前側受網体が前記扱室に差し込まれた状態において、前記手前側受網体のうち、前記回転軸芯方向での両端部を下方から受け止め支持する手前側支持部と、が備えられ、
前記手前側支持部は、脱着可能に備えられている脱穀装置。
【請求項２】
前記奥側受網体は、前記回転軸芯方向において複数の分割奥側受網体に分割可能に構成され、
前記手前側受網体は、前記回転軸芯方向において複数の分割手前側受網体に分割可能に構成され、
前記分割奥側受網体どうしの境界箇所及び前記分割手前側受網体どうしの境界箇所を通過するように延びて、前記扱室の両側壁に亘る横向き支持フレームが備えられ、
前記奥側支持部及び前記手前側支持部は、前記横向き支持フレームに支持されている請求項１に記載の脱穀装置。
【請求項３】
前記手前側支持部に、隣り合う前記分割手前側受網体のうちの前記回転軸芯方向前側に位置する分割手前側受網体における後端部及び隣り合う前記分割手前側受網体のうちの前記回転軸芯方向後側に位置する分割手前側受網体における前端部が載置される載置部と、前記載置部を前記横向き支持フレームに連結すると共に前記横向き支持フレームに脱着可能な連結部と、が備えられている請求項２に記載の脱穀装置。
【請求項４】
前記横向き支持フレームに、隣り合う前記分割奥側受網体どうしの間、及び、隣り合う前記分割手前側受網体どうし間に入り込み、周方向において前記受網の形状に沿って延びる突状部が備えられ、
前記突状部に切欠部が形成され、
前記載置部は、前記切欠部を通されて、前記回転軸芯方向において前記横向き支持フレームの前後に亘って位置している請求項３に記載の脱穀装置。
【請求項５】
前記扱室の一側部箇所において前記回転軸芯方向に沿って延びる手前側取付けフレームと、
前記手前側取付けフレームに差し込み方向手前側から脱着される挟持部材と、が備えられ、
前記手前側受網体における差し込み方向手前側の端部は、前記手前側取付けフレームと前記挟持部材とによって挟持されて前記手前側取付けフレームに支持される請求項１から４のいずれか一項に記載の脱穀装置。
【請求項６】
前記挟持部材は、前記回転軸芯方向において前記手前側受網体の前後幅に亘る長尺部材である請求項５に記載の脱穀装置。
【請求項７】
前記奥側受網体と前記手前側受網体との境界箇所を通るように前記回転軸芯方向に沿って延びる中間取付けフレームが備えられ、
前記奥側受網体における差し込み方向手前側の端部は、連結ボルトを差し込み方向手前側から締め付けて前記中間取付けフレームに支持される請求項１から６のいずれか一項に記載の脱穀装置。
【発明の詳細な説明】
【技術分野】
【０００１】
本発明は、扱胴が設けられる扱室と、前記扱胴の下方に設けられるとともに前記扱室の一側部から抜き差し可能であり、かつ、差し込み方向奥側の奥側受網体と差し込み方向手前側の手前側受網体とに分割して抜き差し可能に構成された受網と、が備えられた脱穀装置に関する。
【背景技術】
【０００２】
上記した脱穀装置は、受網を奥側受網体と手前側受網体とに分割して扱室の一側部から抜き差しすることができ、受網の扱室への組み込みや扱室からの取出しを行ない易いものである。
【０００３】
この種の脱穀装置として、たとえば特許文献１に示される脱穀装置がある。特許文献１に示される脱穀装置では、受網は、周方向並びに軸芯方向の夫々に二分割された４個の受網構成体にて構成されるとともに、扱室の横側部に形成された点検用の開口を通して脱着可能に設けられている。４個の受網構成体のうち開口から遠い側に位置する２個の奥側の受網構成体の軸芯方向両側部を受け止め支持する円弧状のガイドレールが備えられている。４個の受網構成体のうち開口側に位置する２個の手前側の受網構成体では、一端部が奥側の受網構成体の端部に着脱自在に連結され、他端部が開口の上縁に沿った第１支持フレームに着脱自在に連結されている。
【先行技術文献】
【特許文献】
【０００４】
【特許文献１】特開２０１２−２０５５６５号公報
【発明の概要】
【発明が解決しようとする課題】
【０００５】
従来の技術を採用した場合、手前側受網体のうち、差し込み方向手前側の端部と差し込み方向奥側の端部との間の部位を支持する支持部材がないため、つまり、奥側受網体及び手前側受網体を抜き差しする経路に障害物がないため、奥側受網体及び手前側受網体を脱着する作業が行いやすい。しかし、脱穀反力の強さによっては、手前側受網体が差し込み方向手前側端部と差し込み方向奥側端部との間の部位で扱胴側と反対側に歪みやすいなど、手前側受網体の支持強度に問題がある。
【０００６】
本発明は、奥側受網体及び手前側受網体の抜き差しを行ない易くしながら、手前側受網体を強い脱穀反力に抗してしっかり支持できる脱穀装置を提供する。
【課題を解決するための手段】
【０００７】
本発明による脱穀装置は、
扱胴が設けられる扱室と、
前記扱胴の下方に設けられるとともに前記扱室の一側部から抜き差し可能であり、かつ、差し込み方向奥側の奥側受網体と差し込み方向手前側の手前側受網体とに分割して抜き差し可能に構成された受網と、が備えられ、
前記奥側受網体が前記扱室に差し込まれた状態において、前記奥側受網体のうち、前記扱胴の回転軸芯方向での両端部を下方から受け止め支持する奥側支持部と、
前記手前側受網体が前記扱室に差し込まれた状態において、前記手前側受網体のうち、前記回転軸芯方向での両端部を下方から受け止め支持する手前側支持部と、が備えられ、
前記手前側支持部は、脱着可能に備えられている。
【０００８】
本構成によると、手前側支持部を外して手前側支持部が奥側受網体及び手前側受網体の抜き差し障害にならないようにしつつ、奥側受網体及び手前側受網体を抜き差しすることができる。奥側受網体及び手前側受網体の扱室への差し込みを終えると、手前側支持部を取り付けることにより、手前側受網体のうち、扱胴回転軸芯方向での両端部が手前側支持部によって下方から受け止め支持される。
【０００９】
従って、奥側受網体及び手前側受網体を容易に抜き差しできるのみならず、脱穀反力が強い場合でも、手前側受網体を手前側支持部によって脱穀反力に抗してしっかり支持させることができる。
【００１０】
本発明においては、前記奥側受網体は、前記回転軸芯方向において複数の分割奥側受網体に分割可能に構成され、前記手前側受網体は、前記回転軸芯方向において複数の分割手前側受網体に分割可能に構成され、前記分割奥側受網体どうしの境界箇所及び前記分割手前側受網体どうしの境界箇所を通過するように延びて、前記扱室の両側壁に亘る横向き支持フレームが備えられ、前記奥側支持部及び前記手前側支持部は、前記横向き支持フレームに支持されていると好適である。
【００１１】
本構成によると、手前側支持部を横向き支持フレームから外して手前側支持部が分割奥側受網体及び分割手前側受網体の抜き差し障害にならないようにしつつ、分割奥側受網体及び分割手前側受網体を抜き差しすることができる。分割奥側受網体及び分割手前側受網体の扱室への差し込みを終えると、手前側支持部を横向き支持フレームに取り付けることにより、分割手前側受網体のうち、扱胴回転軸芯方向での両端部が手前側支持部によって下方から受け止め支持される。奥側支持部は、分割奥側受網体を介して掛かる脱穀反力に抗して横向き支持フレームによってしっかり支持されつつ分割奥側受網体を下方から受け止め支持する。手前側支持部は、分割手前側受網体を介して掛かる脱穀反力に抗して横向き支持フレームによってしっかり支持されつつ分割手前側受網体を下方から受け止め支持する。
【００１２】
従って、分割奥側受網体及び分割手前側受網体を容易に抜き差しできるのみならず、脱穀反力が強い場合でも、分割奥側受網体及び分割手前側受網体を脱穀反力に抗してしっかり支持させることができる。
【００１３】
本発明においては、前記手前側支持部に、隣り合う前記分割手前側受網体のうちの前記回転軸芯方向前側に位置する分割手前側受網体における後端部及び隣り合う前記分割手前側受網体のうちの前記回転軸芯方向後側に位置する分割手前側受網体における前端部が載置される載置部と、前記載置部を前記横向き支持フレームに連結すると共に前記横向き支持フレームに脱着可能な連結部と、が備えられていると好適である。
【００１４】
本構成によると、隣り合う分割手前側受網体に共用の手前側支持部によって安価に隣り合う分割手前側受網体を支持できる。
【００１５】
本発明においては、前記横向き支持フレームに、隣り合う前記分割奥側受網体どうしの間、及び、隣り合う前記分割手前側受網体どうし間に入り込み、周方向において前記受網の形状に沿って延びる突状部が備えられ、前記突状部に切欠部が形成され、前記載置部は、前記切欠部を通されて、前記回転軸芯方向において前記横向き支持フレームの前後に亘って位置していると好適である。
【００１６】
本構成によると、隣り合う分割手前側受網体どうし間の隙間を突状部によって埋めることができる。隣り合う分割手前側受網体に共用の手前側支持部によって隣り合う分割手前側受網体を支持できる。つまり、隣り合う分割手前側受網体どうし間の隙間を脱穀処理物が入り込みにくいように埋めつつ、隣り合う分割手前側受網体をしっかり安価に支持できる。
【００１７】
本発明においては、前記扱室の一側部箇所において前記回転軸芯方向に沿って延びる手前側取付けフレームと、前記手前側取付けフレームに差し込み方向手前側から脱着される挟持部材と、が備えられ、前記手前側受網体における差し込み方向手前側の端部は、前記手前側取付けフレームと前記挟持部材とによって挟持されて前記手前側取付けフレームに支持されると好適である。
【００１８】
本構成によると、挟持部材を扱室の一側部から取付け操作することによって手前側取付けフレームに取付けることができ、この取付けを行なうことにより、手前側受網体における差し込み方向手前側の端部が手前側取付けフレームと挟持部材とによって挟持されて手前側取付けフレームに支持されるので、手前側受網体の手前側取付けフレームへの支持を行ないやすい。
【００１９】
本発明においては、前記挟持部材は、前記回転軸芯方向において前記手前側受網体の前後幅に亘る長尺部材であると好適である。
【００２０】
本構成によると、手前側受網体における差し込み方向手前側の端部の広い範囲にわたって挟持力を作用させることができるので、手前側受網体を手前側取付けフレームにしっかり支持できる。
【００２１】
本発明においては、前記奥側受網体と前記手前側受網体との境界箇所を通るように前記回転軸芯方向に沿って延びる中間取付けフレームが備えられ、前記奥側受網体における差し込み方向手前側の端部は、連結ボルトを差し込み方向手前側から締め付けて前記中間取付けフレームに支持されると好適である。
【００２２】
本構成によると、連結ボルトを扱室の一側部から締め付け操作することによって奥側受網体における差し込み方向手前側の端部を中間取付けフレームに支持できるので、奥側受網体の中間取付けフレームへの支持を行ないやすい。
【図面の簡単な説明】
【００２３】
【図１】コンバインの全体を示す左側面図である。
【図２】コンバインの全体を示す平面図である。
【図３】脱穀装置を示す縦断側面図である。
【図４】脱穀部を示す縦断正面図である。
【図５】送塵弁の調節構造を示す平面図である。
【図６】図５のＶＩ−ＶＩ断面矢視図である。
【図７】展開状態の支持フレーム及び受網の平面図である。
【図８】図７のＶＩＩＩ−ＶＩＩＩ断面矢視図である。
【図９】図７のＩＸ−ＩＸ断面矢視図である。
【図１０】図７のＸ−Ｘ断面矢視図である。
【図１１】図７のＸＩ−ＸＩ断面矢視図である。
【図１２】図７のＸＩＩ−ＸＩＩ断面矢視図である。
【図１３】図７のＸＩＩＩ−ＸＩＩＩ断面矢視図である。
【図１４】図７のＸＩＶ−ＸＩＶ断面矢視図である。
【図１５】図７のＸＶ−ＸＶ断面矢視図である。
【図１６】分割奥側受網体を示す斜視図である。
【図１７】分割手前側受網体を示す斜視図である。
【発明を実施するための形態】
【００２４】
以下、本発明の実施の形態をコンバインに適用した脱穀装置について、図面に基づいて説明する。図１は、コンバインの全体を示す左側面図である。図２は、コンバインの全体を示す平面図である。図１，２に示す［Ｆ］の方向が走行機体１の前方向、［Ｂ］の方向が走行機体１の後方向、図２に示す［Ｌ］の方向が走行機体１の左方向、図２に示す［Ｒ］の方向が走行機体１の右方向と定義する。
【００２５】
図１，２に示すように、コンバインは、左右一対のクローラ走行装置２が装備された走行機体１を備えている。走行機体１の前部における右側部位に運転部３が形成されている。運転部３に運転座席４が設けられている。運転部３は、キャビン５によって覆われている。運転座席４の下方にエンジン（図示せず）が設けられている。走行機体１の後部に脱穀装置６、及び、脱穀物タンク７が設けられている。脱穀装置６と脱穀物タンク７とは、脱穀物タンク７が運転部３の後側に位置する状態で走行機体１の横幅方向に並んでいる。脱穀装置６の後部に排ワラ細断装置８が装備されている。走行機体１の前部における脱穀装置側の部位から刈取り搬送装置９が前方向きに延出されている。刈取り搬送装置９には、走行機体１から前方へ上下揺動操作可能に延出された搬送部１０、及び、走行機体１の前方に設けられ、後部が搬送部１０の前端部に連結された刈取部１１を備えている。刈取部１１は、搬送部１０が昇降シリンダ１２の伸縮によって揺動操作されることによって、下降作業状態と上昇非作業状態とにわたって昇降操作される。
【００２６】
コンバインにおいては、刈取部１１を下降作業状態に下降させ、この状態で走行機体１を走行させることにより、作物としての稲、麦、大豆などの収穫作業を行なえる。すなわち、刈取部１１において、圃場の植立穀稈のうち、走行機体の前方に位置する植立穀稈の穂先側が回転リール１３によって後方に掻き込まれつつ、植立穀稈の株元側が刈取装置１４によって切断されて、植立穀稈の刈取りが行われ、刈取り穀稈の株元から穂先までの全体がオーガ１５によって搬送部１０へ搬送される。搬送部１０へ搬送された刈取穀稈が搬送部１０によって後方へ搬送されて脱穀装置６に供給される。脱穀装置６において、供給された作物としての刈取り穀稈が脱穀処理され、脱穀処理によって得られた脱穀粒を塵埃と選別する選別処理が行われる。脱穀排ワラが排ワラ細断装置８によって細断処理される。細断ワラは、排ワラ細断装置８の下部に備えられた排出口カバー８ａによって案内されて走行機体１の後方へ排出される。選別処理後の脱穀粒が揚穀装置１６によって脱穀物タンク７に供給されて貯留される。脱穀物タンク７に貯留された脱穀粒は、脱穀物排出装置１７によって脱穀物タンク７から取出すことができる。
【００２７】
〔脱穀装置６の構成〕
図３に示すように、脱穀装置６は、脱穀機体２０を備えている。脱穀機体２０の上部に脱穀部６Ａが形成され、脱穀機体２０の下部に選別部６Ｂが形成されている。
【００２８】
図３，４に示すように、脱穀部６Ａは、扱室２１、扱室２１に設けられた扱胴２２、及び、扱胴２２の下方に設けられた受網２４を備えている。扱室２１は、脱穀機体２０の左右の側壁２０ｓ、前壁２０ｆ及び後壁２０ｒと、天板２５と、受網２４とによって形成されている。扱胴２２は、回転支軸２２ｃを介して前壁２０ｆ及び後壁２０ｒに支持され、回転支軸２２ｃの脱穀装置前後方向に延びる軸芯を回転軸芯Ｙにして扱胴駆動部２２ｄによって回転駆動される。扱胴２２は、前部に形成された掻込み部２２ａ、及び、掻込み部２２ａの後側に形成された扱き処理部２２ｂを備えている。天板２５の内面側に扱室２１の前後方向に並ぶ複数の送塵弁２５ａが支持されている。扱室２１の左側部に、脱穀カバー２８によって覆われた開口部２９が形成されている。
【００２９】
図３に示すように、脱穀部６Ａにおいては、搬送部１０によって扱室２１の前端部に供給された作物としての刈取穀稈が掻込み部２２ａによって扱胴２２の後方に向けて掻き込まれて扱き処理部２２ｂに供給される。扱き処理部２２ｂに供給された穀稈が扱歯２３及び受網２４によって脱穀処理される。扱き処理部２２ｂによって回動力を付与された脱穀処理物が送塵弁２５ａに当接し、扱室２１の後方に向けて流動するように送塵弁２５ａによって案内され、脱穀処理物は、扱室２１の後方に向けて移送されつつ脱穀処理される。脱穀処理によって得られた脱穀粒が受網２４の処理物漏下穴を通って選別部６Ｂに落下する。脱穀処理によって発生した脱穀塵埃としてのわら屑が扱室２１の後部に位置する排塵口２６から扱室２１の後方へ排出される。扱室２１から排出された脱穀塵埃は、脱穀機体２０の後部に位置する排出口２７から排ワラ細断装置８に流入する。
【００３０】
図３に示すように、選別部６Ｂにおいては、受網２４から漏下した脱穀処理物が揺動選別装置３０のグレンパン３３、篩い線部３４、第１チャフシーブ３５、グレンシーブ３６及び第２チャフシーブ３７によってゆすられて、かつ、唐箕３８からの選別風を受けて、後方に移送されつつ穀粒とワラ屑などの塵埃とに選別処理される。選別処理によって得られた１番処理物としての精粒が１番回収部３９に落下して回収され、１番回収部３９によって脱穀機体２０の外部へ排出される。排出された精粒は、揚穀装置１６に受け継がれる。選別処理によって得られた２番処理物としての未処理粒が２番回収部４０に落下して回収され、２番回収部４０によって脱穀機体２０の外部へ排出される。排出された未処理粒は、還元装置（図示せず）に受け継がれ、還元装置によって選別部の前部に搬送されて揺動選別装置３０の前部に還元される。揺動選別装置３０において選別されたワラ屑などの選別塵埃は、排出口２７から排ワラ細断装置８へ流入する。
【００３１】
〔送塵弁２５ａについて〕
図５，６に示すように、送塵弁２５ａは、天板２５の内面側に揺動支点軸４１を介して揺動可能に支持されている。各送塵弁２５ａの遊端側に連動リンク４２が連結ピン４３を介して連結されている。複数の送塵弁２５ａは、同一の揺動方向に連動して揺動するように連動リンク４２によって連動連結されている。天板２５の上方において、一つの送塵弁２５ａの揺動支点軸４１から送塵調節レバー４４が運転部３の近くに向けて延出されている。図５，６に示すように、送塵調節レバー４４から位置決めピン４５が下向きに突設されている。天板２５に固定部材４６が固定されている。
【００３２】
送塵調節レバー４４の操作部４４ａを持ち上げ操作し、送塵調節レバー４４が揺動支点軸側を揺動支点にして弾性揺動変形して位置決めピン４５が固定部材４６のピン穴４６ａから抜け上がると、送塵調節レバー４４を、揺動支点軸４１を揺動支点にして揺動調節する。すると、揺動支点軸４１が回動して送塵弁２５ｃを揺動操作し、この送塵弁２５ｃによって連動リンク４２が扱胴２２の回転軸芯Ｙに沿った方向に移動操作され、他の送塵弁２５ｃが連動リンク４２によって揺動操作される。すなわち、複数の送塵弁２５ｃの送り案内角を調節できる。送塵調節レバー４４の弾性復元力により、位置決めピン４５を固定部材４６の複数のピン穴４６ａのうちの選択したピン穴４６ａに差し入れる。すると、位置決めピン４５と固定部材４６との係合により、送塵調節レバー４４が調節した操作位置に位置決めされ、複数の送塵弁２５ｃを調節した送り角の取付姿勢に保持できる。
【００３３】
図５，６に示すように、送塵調節レバー４４の上方に持上げ規制部材４７が設けられている。持上げ規制部材４７は、天板２５に固定されている。送塵調節レバー４４の持ち上げ高さが設定高さになると、送塵調節レバー４４が持上げ規制部材４７に当たり、持ち上げ高さが設定高さを越えないように持上げ規制部材４７によって規制される。すなわち、位置決めピン４５を固定部材４６から抜き上げるとき、及び、送塵調節レバー４４を揺動操作するとき、送塵調節レバー４４が持ち上げられ過ぎると、送塵調節レバー４４が塑性変形するので、送塵調節レバー４４の持ち上げ可能な高さが、送塵調節レバー４４の塑性変形を発生させない範囲の高さに持上げ規制部材４７によって設定される。本実施形態では、持上げ規制部材４７は、丸棒部材によって構成されている。持上げ規制部材４７を構成する部材としては、丸棒部材限らず、角棒部材、チャンネル部材、平板部材、管部材など各種の部材の利用が可能である。
【００３４】
〔受網２４について〕
図４，７に示すように、受網２４は、扱胴２２の周方向に沿って二分割され、かつ、扱胴２２の回転軸芯Ｙ方向に沿って三分割されている。つまり、受網２４は、六つの分割受網体５０を有している。
【００３５】
六つの分割受網体５０の夫々は、扱室２１の左側部に形成された開口部２９（図４参照）から順次に扱室２１へ差し込まれる。また、六つの分割受網体５０の夫々は、開口部２９から順次に扱室２１の外部へ抜き出される。つまり、本実施形態において、分割受網体５０の「差し込み方向」は、脱穀装置６の左側から右側に向かう方向であり、分割受網体５０の「抜き出し方向」は、脱穀装置６の右側から左側に向かう方向である。したがって、本実施形態において、「差し込み方向奥側」とは、右側を意味し、「差し込み方向手前側」とは、左側を意味する。詳しくは後述するが、六つの分割受網体５０は、各別に支持フレーム５１（図７参照）に固定される。以下において、六つ分割受網体５０のうち、開口部２９から遠い側の三つの分割受網体５０を分割奥側受網体５０Ｒと呼称し、開口部２９に近い側の三つの分割受網体５０を分割手前側受網体５０Ｌと呼称する。
【００３６】
図４，７に示すように、支持フレーム５１は、扱室２１を形成し、かつ、受網２４を支持する。支持フレーム５１は、前支持フレーム５１Ｆと、二つの横向き支持フレーム５１Ｙと、後支持フレーム５１Ｂと、手前側取付けフレーム５１Ｌと、中間取付けフレーム５１Ｎと、奥側取付けフレーム５１Ｒと、を備えている。
【００３７】
前支持フレーム５１Ｆは、受網２４の前端部箇所を通過するように延びて、扱室２１の両側壁２１ｓに亘っている。後支持フレーム５１Ｂは、受網２４の後端部箇所を通過するように延びて、扱室２１の両側壁２１ｓに亘っている。二つの横向き支持フレーム５１Ｙは、前支持フレーム５１Ｆと後支持フレーム５１Ｂとの間に扱胴２２の回転軸芯Ｙ方向に間隔を空けて並んでいる。二つの横向き支持フレーム５１Ｙは、隣り合う分割奥側受網体５０Ｒの境界箇所及び隣り合う分割手前側受網体５０Ｌの境界箇所を通過するように延びて、扱室２１の両側壁２１ｓに亘っている。詳述すると、二つの横向き支持フレーム５１Ｙのうち、前側の横向き支持フレーム５１Ｙは、最も前の分割奥側受網体５０Ｒと中央の分割奥側受網体５０Ｒとの境界箇所、及び、最も前の分割手前側受網体５０Ｌと中央の分割手前側受網体５０Ｌとの境界箇所を通過するように延びている。二つの横向き支持フレーム５１Ｙのうち、後側の横向き支持フレーム５１Ｙは、中央の分割奥側受網体５０Ｒと最も後の分割奥側受網体５０Ｒとの境界箇所、及び、中央の分割手前側受網体５０Ｌと最も後の分割手前側受網体５０Ｌとの境界箇所を通過するように延びている。
【００３８】
手前側取付けフレーム５１Ｌは、扱室２１の開口部側の側部箇所において、扱胴２２の回転軸芯Ｙ方向に沿って延びて、前支持フレーム５１Ｆと後支持フレーム５１Ｂとに亘っている。中間取付けフレーム５１Ｎは、分割奥側受網体５０Ｒと分割手前側受網体５０Ｌとの境界箇所を通るように扱胴２２の回転軸芯Ｙ方向に沿って延びて、前支持フレーム５１Ｆと後支持フレーム５１Ｂとに亘っている。奥側取付けフレーム５１Ｒは、扱室２１の開口部側と反対の側部箇所において、扱胴２２の回転軸芯Ｙ方向に沿って延びて、前支持フレーム５１Ｆと後支持フレーム５１Ｂとに亘っている。
【００３９】
前支持フレーム５１Ｆのうち、手前側取付けフレーム５１Ｌと中間取付けフレーム５１Ｎとの間の部位、各横向き支持フレーム５１Ｙのうち、手前側取付けフレーム５１Ｌと中間取付けフレーム５１Ｎとの間の部位における前後側、後支持フレーム５１Ｂのうち、手前側取付けフレーム５１Ｌと中間取付けフレーム５１Ｎとの間の部位の夫々に手前側支持部５２が備えられている。
【００４０】
図１４に示すように、前支持フレーム５１Ｆの手前側支持部５２は、連結ボルト５３ａによって前支持フレーム５１Ｆに脱着可能に支持されている。前支持フレーム５１Ｆのボルト穴５３ｂは、扱胴２２の半径方向に沿った方向に長い形状に形成されている。前支持フレーム５１Ｆにおける手前側支持部５２の取付け位置をボルト穴５３ｂの長穴形状によって扱胴側及び扱胴側と反対側に調節できる。
【００４１】
後支持フレーム５１Ｂの手前側支持部５２の詳細な図示はしないが、後支持フレーム５１Ｂの手前側支持部５２は、前支持フレーム５１Ｆの手前側支持部５２の支持構成と同じ支持構成で後支持フレーム５１Ｂに支持されている。後支持フレーム５１Ｂの手前側支持部５２は、脱着可能に支持されている。後支持フレーム５１Ｂにおける手前側支持部５２の取付け位置を扱胴側及び扱胴側と反対側に調節できる。
【００４２】
図１３に示すように、各横向き支持フレーム５１Ｙにおける前側の手前側支持部５２及び後側の手前側支持部５２は、横向き支持フレーム５１Ｙに脱着可能に支持されている。各横向き支持フレーム５１Ｙにおける前側の手前側支持部５２と後側の手前側支持部５２とは、共用の手前側支持部によって構成されている。
【００４３】
すなわち、図１３に示すように、横向き支持フレーム５１Ｙには、手前側支持部５２から扱胴側に突出する突状部５４が備えられ、突状部５４に切欠部５５が形成されている。本実施形態では、切欠部５５は、貫通穴形状に形成されている。貫通穴形状の切欠部に代え、上向き（扱胴向き）に開口する溝形状の切欠部を採用してもよい。横向き支持フレーム５１Ｙの手前側支持部５２は、切欠部５５を前後方向に通されて、横向き支持フレーム５１Ｙの前後側に亘って位置する載置部５６を備えている。載置部５６のうち、突状部５４より前側に位置する部位５６ｆに、隣り合う分割手前側受網体５０Ｌのうちの前側に位置する分割手前側受網体５０Ｌの後端部が載置されるようになっている。載置部５６のうち、突状部５４より後側に位置する部位５６ｒに、隣り合う分割手前側受網体５０Ｌのうちの後側に位置する分割手前側受網体５０Ｌの前端部が載置されるようになっている。手前側支持部５２は、載置部５６から下向きに突設された連結部５７を備えている。連結部５７は、横向き支持フレーム５１Ｙに連結ボルト５８ａによって脱着可能に連結され、載置部５６を横向き支持フレーム５１Ｙに脱着可能に連結している。連結ボルト５８ａを締め込むナット部材は、連結部５７に一体的に形成されている。
【００４４】
切欠部５５は、載置部５６の上下移動を許容する大きさの切欠部に形成されている。横向き支持フレーム５１Ｙのボルト穴５８ｂは、扱胴２２の半径方向に沿った方向に長い形状に形成されている。横向き支持フレーム５１Ｙにおける手前側支持部５２の取付け位置を切欠部５５の大きさ、及び、ボルト穴５８ｂの長穴形状によって扱胴側及び扱胴側と反対側に調節できる。
【００４５】
図７，１０，１３に示すように、前支持フレーム５１Ｆのうちの中間取付けフレーム５１Ｎと奥側取付けフレーム５１Ｒとの間の部位、各横向き支持フレーム５１Ｙのうちの中間取付けフレーム５１Ｎと奥側取付けフレーム５１Ｒとの間の部位における前後側、後支持フレーム５１Ｂのうちの中間取付けフレーム５１Ｎと奥側取付けフレーム５１Ｒとの間の部位の夫々に、奥側支持部５９が備えられている。本実施形態では、奥側支持部５９は、中間取付けフレーム５１Ｎと奥側取付けフレーム５１Ｒとの間の部位の略全長に亘って備えられ、抜き差しされる分割奥側受網体５０Ｒをスライド案内するガイドレール機能を備えている。
【００４６】
図７，１０，１３に示すように、各横向き支持フレーム５１Ｙの突状部５４は、奥側支持部５９及び手前側支持部５２から扱胴側に突出しており、かつ、扱胴２２の周方向において受網２４の形状に沿って延びており、隣り合う分割奥側受網体５０Ｒどうしの間、及び、隣り合う分割手前側受網体５０Ｌどうしの間に入り込む。隣り合う分割奥側受網体５０Ｒどうしの間の隙間、及び、隣り合う分割手前側受網体５０Ｌの間の隙間が突状部５４によって埋められる。分割奥側受網体５０Ｒにおける突状部５４による隙間埋めは、分割奥側受網体５０Ｒの全幅に亘って行われる。分割手前側受網体５０Ｌにおける突状部５４による隙間埋めは、分割手前側受網体５０Ｌの全幅に亘って行われる。
【００４７】
図７，１５に示すように、手前側取付けフレーム５１Ｌのうちの前支持フレーム５１Ｆと前側の横向き支持フレーム５１Ｙとの間の部位、手前側取付けフレーム５１Ｌのうちの横向き支持フレーム５１Ｙどうしの間の部位、及び、手前側取付けフレーム５１Ｌのうちの後の横向き支持フレーム５１Ｙと後支持フレーム５１Ｂとの間の部位の夫々に、挟持部材６０が備えられている。図１５に示すように、挟持部材６０は、連結部６０ａと、連結部６０ａの下部から手前側取付けフレーム５１Ｌの下方へ向かって延びる挟持部６０ｂとを備えている。連結部６０ａは、手前側取付けフレーム５１Ｌに差し込み方向手前側から当て付けられ、連結ボルト６１を差し込み方向手前側から差し込み方向奥側に向けて締め付けて手前側取付けフレーム５１Ｌに連結されて、挟持部材６０を手前側取付けフレーム５１Ｌに連結する。挟持部材６０は、手前側取付けフレーム５１Ｌに差し込み方向手前側から脱着可能に支持され、分割手前側受網体５０Ｌの差し込み方向手前側の端部を挟持部６０ｂと手前側取付けフレーム５１Ｌとによって挟持して手前側取付けフレーム５１Ｌに支持する。挟持部材６０は、扱胴２２の回転軸芯Ｙ方向において分割手前側受網体５０Ｌの前後幅の略全長に亘る長尺部材によって構成されている。分割手前側受網体５０Ｌの差し込み方向手前側の端部の前後幅方向での広い範囲にわたって挟持部材６０によって挟持力が付与される。本実施形態では、挟持部材６０は、分割手前側受網体５０Ｌの前後幅の略全長に亘る長さを備える長尺部材によって構成されているが、分割手前側受網体５０Ｌの前後幅の全長に等しい長さを備える長尺部材によって構成してもよく。本発明においては、いずれの長尺部材も、分割手前側受網体５０Ｌの前後幅に亘る長尺部材とする。
【００４８】
六つの分割受網体５０のうち、扱室前部における左右二つの分割受網体５０（分割奥側受網体５０Ｒと分割手前側受網体５０Ｌ）と、扱室中間部における左右二つの分割受網体５０（分割奥側受網体５０Ｒと分割手前側受網体５０Ｌ）と、扱室後部における左右二つの分割受網体５０（分割奥側受網体５０Ｒと分割手前側受網体５０Ｌ）とは、同一の構成であるため、以下では、扱室前部における左右二つの分割受網体５０について主に説明し、扱室中間部における左右二つの分割受網体５０、扱室後部における左右二つの分割受網体５０については、必要に応じて説明する。
【００４９】
以下において、差し込み方向奥側を右側と称し、差し込み方向手前側を左側と称して説明する。図７，１１，１２に示すように、扱室前部における二つの分割受網体５０のうちの右側の分割受網体５０、すなわち分割奥側受網体５０Ｒの左側の端部は、前後方向に並ぶ三つの連結ボルト６２(図１１，１２参照)で中間取付けフレーム５１Ｎに支持される。分割奥側受網体５０Ｒの左側の端部は、三つの連結ボルト６２を分割奥側受網体５０Ｒの差し込み方向手間側から差し込み方向奥側に向けて締め付けることにより、中間取付けフレーム５１Ｎに支持される。図８に示すように、扱室前部における分割奥側受網体５０Ｒの右側の端部は、奥側取付けフレーム５１Ｒにボルト等で支持されない。つまり、分割奥側受網体５０Ｒにおける右側の端部は、奥側取付けフレーム５１Ｒの下部に宛がわれているだけである。
【００５０】
図９に示すように、扱室前部における分割奥側受網体５０Ｒの前端部が前支持フレーム５１Ｆの奥側支持部５９によって下方から受け止め支持される。図１０に示すように、扱室前部における分割奥側受網体５０Ｒの後端部が前側の横向き支持フレーム５１Ｙの前側の奥側支持部５９によって下方から受け止め支持される。
【００５１】
扱室中間部における二つの分割受網体５０のうちの右側の分割受網体５０、すなわち分割奥側受網体５０Ｒにあっては、分割奥側受網体５０Ｒの前端部が前側の横向き支持フレーム５１Ｙの後側の奥側支持部５９によって下方から受け止め支持され、分割奥側受網体５０Ｒの後端部が後側の横向き支持フレーム５１Ｙの前側の奥側支持部５９によって下方から受け止め支持される。
【００５２】
扱室後部における二つの分割受網体５０のうちの右側の分割受網体５０、すなわち、分割奥側受網体５０Ｒにあっては、分割奥側受網体５０Ｒの前端部が後側の横向き支持フレーム５１Ｙの後側の奥側支持部５９によって下方から受け止め支持され、分割奥側受網体５０Ｒの後端部が後支持フレーム５１Ｂの奥側支持部５９によって下方から受け止め支持される。
【００５３】
図１３に示すように、扱室前部における二つの分割受網体５０のうちの左側の分割受網体５０、すなわち分割手前側受網体５０Ｌの右側の端部は、分割奥側受網体５０Ｒの左側の端部に重ね合わされた状態で、三つの連結ボルト６２のうちの前側の連結ボルト６２及び後側の連結ボルト６２で中間取付けフレーム５１Ｎに支持される。図１５に示すように、扱室前部における分割手前側受網体５０Ｌの左側の端部は、挟持部材６０と手前側取付けフレーム５１Ｌとによる挟持によって手前側取付けフレーム５１Ｌに支持される。
【００５４】
図１４に示すように、扱室前部における分割手前側受網体５０Ｌの前端部が前支持フレーム５１Ｆの手前側支持部５２によって下方から受け止め支持され、扱室前部における分割手前側受網体５０Ｌの後端部が前側の横向き支持フレーム５１Ｙの前側の手前側支持部５２によって下方から受け止め支持される。扱室前部の分割手前側受網体５０Ｌの後端部の手前側支持部５２による受け止め支持は、詳しくは、図１３に示すように、分割手前側受網体５０Ｌの後端部が前側の横向き支持フレーム５１Ｙの手前側支持部５２における載置部５６のうち、突状部５４より前側の部位５６ｆに載置されることによって行なわれる。
【００５５】
扱室中間部における二つの分割受網体５０のうちの左側の分割受網体５０、すなわち、分割手前側受網体５０Ｌにあっては、分割手前側受網体５０Ｌの前端部が前側の横向き支持フレーム５１Ｙの後側の手前側支持部５２によって下方から受け止め支持され、分割手前側受網体５０Ｌの後端部が後側の横向き支持フレーム５１Ｙの前側の手前側支持部５２によって下方から受け止め支持される。分割手前側受網体５０Ｌの前端部の手前側支持部５２による受け止め支持は、詳しくは、図１３に示すように、分割手前側受網体５０Ｌの前端部が前側の横向き支持フレーム５１Ｙの手前側支持部５２における載置部５６のうち、突状部５４より後側の部位５６ｒに載置されることによって行なわれる。分割手前側受網体５０Ｌの後端部の手前側支持部５２による受け止め支持は、詳しくは、分割手前側受網体５０Ｌの後端部が後側の横向き支持フレーム５１Ｙの手前側支持部５２における載置部５６のうち、突状部５４より前側の部位５６ｒに載置されることによって行なわれる。
【００５６】
扱室後部における二つの分割受網体５０のうちの左側の分割受網体５０、すなわち分割手前側受網体５０Ｌにあっては、分割手前側受網体５０Ｌの前端部が後側の横向き支持フレーム５１Ｙの後側の手前側支持部５２によって下方から受け止め支持され、分割手前側受網体５０Ｌの後端部が後支持フレーム５１Ｂの手前側支持部５２によって下方から受け止め支持される。分割手前側受網体５０Ｌの前端部の手前側支持部５２による受け止め支持は、詳しくは、分割手前側受網体５０Ｌの前端部が後側の横向き支持フレーム５１Ｙの手前側支持部５２における載置部５６のうち、突状部５４より後側の部位５６ｒに載置されることによって行なわれる。
【００５７】
分割受網体５０単体について、説明する。図１６に示すように、分割受網体５０のうちの分割奥側受網体５０Ｒの左側（差し込み方向手前側）の端部に手前側フランジ部６３が備えられている。手前側フランジ部６３に、扱胴回転軸芯Ｙ方向に間隔を空けて並ぶ三つのボルト穴６２ａが形成されている。
【００５８】
図１７に示すように、分割受網体５０のうちの分割手前側受網体５０Ｌの左側（差し込み方向手前側）の端部に手前側フランジ部６５が備えられている。分割手前側受網体５０Ｌの右側（差し込み方向奥側）の端部に位置する受網構成部材６６に、扱胴回転軸芯Ｙ方向に間隔を空けて並ぶ二つボルト穴６２ｂが形成されている。
【００５９】
次に、分割受網体５０の固定方法について説明する。なお、以下では、六つの分割受網体５０のうち扱室前部における二つの分割受網体５０である分割奥側受網体５０Ｒ及び分割手前側受網体５０Ｌを例として、分割受網体５０の固定方法について説明する。
【００６０】
先ず、前支持フレーム５１Ｆの手前側支持部５２、及び、前側の横向き支持フレーム５１Ｙの前側の手前側支持部５２が取り外される。この取り外し状態で、扱室前部における分割奥側受網体５０Ｒ及び分割手前側受網体５０Ｌのうち、分割奥側受網体５０Ｒが、手前側フランジ部６３を左側に位置させた状態で、扱室２１の左側部（開口部２９）から差し込まれる。そして、図１１に示すように、分割奥側受網体５０Ｒの手前側フランジ部６３が一つの連結ボルト６２で中間取付けフレーム５１Ｎに支持される。すなわち、手前側フランジ部６３の三つのボルト穴６２ａのうちの中央のボルト穴６２ａのみに連結ボルト６２が装着され、この連結ボルト６２で手前側フランジ部６３が中間取付けフレーム５１Ｎに支持される。具体的には、分割奥側受網体５０Ｒにおける手前側フランジ部６３が、中間取付けフレーム５１Ｎの左側面に宛がわれた状態で、一つの連結ボルト６２で中間取付けフレーム５１Ｎに支持される。なお、上述のように、分割奥側受網体５０Ｒにおける奥側の端部は、奥側取付けフレーム５１Ｒの下部に宛がわれるだけであり、奥側取付けフレーム５１Ｒにボルト等で固定されない。（図８参照）
【００６１】
続いて、扱室前部における分割奥側受網体５０Ｒ及び分割手前側受網体５０Ｌのうちの分割手前側受網体５０Ｌが、手前側フランジ部６５を左側に位置させた状態で、扱室２１の左側部（開口部２９）から差し込まれる。そして、分割手前側受網体５０Ｌの奥側端部の受網構成部材６６が、分割奥側受網体５０Ｒの手前側フランジ部６３に対向した状態で、分割奥側受網体５０Ｒの手前側フランジ部６３と共に、二つの連結ボルト６２で中間取付けフレーム５１Ｎに支持される。詳しくは、二つの連結ボルト６２のうちの一方の連結ボルト６２は、分割手前側受網体５０Ｌにおける奥側端部の受網構成部材６６の二つのボルト穴６２ｂのうちの前側のボルト穴６２ｂと、分割奥側受網体５０Ｒにおける手前側フランジ部６３の三つのボルト穴６２ａのうちの最も前のボルト穴６２ａとに挿通される。二つの連結ボルト６２のうちの他方の連結ボルト６２は、分割手前側受網体５０Ｌにおける奥側端部の受網構成部材６６の二つのボルト穴６２ｂのうちの後側のボルト穴６２ｂと、分割奥側受網体５０Ｒにおける手前側フランジ部６３の三つのボルト穴６２ａのうちの最も後のボルト穴６２ａとに挿通される。
【００６２】
このとき、分割奥側受網体５０Ｒの手前側フランジ部６３において前後のボルト穴６２ａを備えるブラケットと、分割手前側受網体５０Ｌの奥側端部の受網構成部材６６における前後のボルト穴６２ｂを備えるブラケットとが重なるので、分割奥側受網体５０Ｒの手前側フランジ部６３の中間のボルト穴６２ａに先に装着されている連結ボルト６２と、分割手前側受網体５０Ｌの奥側端部の受網構成部材６６とは干渉しない。
【００６３】
次に、図１５に示すように、分割手前側受網体５０Ｌの手前側フランジ部６５が、手前側取付けフレーム５１Ｌと挟持部材６０とによって挟持されて手前側取付けフレーム５１Ｌに支持される。
【００６４】
最後に、前支持フレーム５１Ｆに手前側支持部５２が取り付けられ、前側の横向き支持フレーム５１Ｙに前側の手前側支持部５２が取り付けられる。本実施形態では、前側の横向き支持フレーム５１Ｙの前側の手前側支持部５２と、前側の横向き支持フレーム５１Ｙの後側の手前側支持部５２とが共用の手前側支持部によって構成されているので、前側の横向き支持フレーム５１Ｙの手前側支持部５２の取付けは、扱室前部の分割手前側受網体５０Ｌが手前側取付けフレーム５１Ｌに支持され、かつ、扱室中間部の分割手前側受網体５０Ｌが手前側取付けフレーム５１Ｌに支持された後に行われる。これにより、分割奥側受網体５０Ｒの前端部が前支持フレーム５１Ｆの奥側支持部５９によって下方から受け止め支持され、分割奥側受網体５０Ｒの後端部が前側の横向き支持フレーム５１Ｙの前側の奥側支持部５９によって下方から受け止め支持される。分割手前側受網体５０Ｌの前端部が前支持フレーム５１Ｆの手前側支持部５２によって下方から受け止め支持され、分割手前側受網体５０Ｌの後端部が前側の横向き支持フレーム５１Ｙの前側の手前側支持部５２によって下方から受け止め支持される。分割手前側受網体５０Ｌの後端部の手前側支持部５２による受け止め支持は、詳しくは、上述したように、前側の横向き支持フレーム５１Ｙの手前側支持部５２における載置部５６のうち、突状部５４より前側に位置する部位５６ｆによって行なわれる。
【００６５】
なお、ここでは、六つ分割受網体５０のうち扱室前部における二つの分割受網体５０である分割奥側受網体５０Ｒ及び分割手前側受網体５０Ｌを例として、分割受網体５０の固定方法について説明したが、扱室中間部の二つの分割受網体５０である分割奥側受網体５０Ｒ及び分割手前側受網体５０Ｌの固定方法も、扱室後部の二つの分割受網体５０である分割奥側受網体５０Ｒ及び分割手前側受網体５０Ｌの固定方法も、扱室前部における分割奥側受網体５０Ｒ及び分割手前側受網体５０Ｌの固定方法と同様の手順で行われる。
また、ここでは、分割奥側受網体５０Ｒ及び分割手前側受網体５０Ｌの固定方法について説明したが、分割奥側受網体５０Ｒ及び分割手前側受網体５０Ｌを抜き出す場合、固定方法と逆の手順で行われる。
【００６６】
以下、本発明に係る別実施形態について説明する。
【００６７】
（１）上記実施形態において、扱胴２２の回転軸芯Ｙ方向が走行機体１の前後方向になる状態で脱穀装置６が走行機体１に搭載されているが、扱胴２２の回転軸芯Ｙ方向が走行機体１の横方向など如何なる方向になる状態で搭載された形態でもよい。
【００６８】
（２）上記実施形態において、分割受網体５０の「差し込み方向」は、脱穀装置６の左側から右側に向けての方向であるが、扱室２１の右側部に開口部を形成し、「差し込み方向」を脱穀装置６の左側から右側に向けての方向としてもよい。
【００６９】
（３）上記実施形態において、受網２４は、扱胴２２の回転軸芯Ｙ方向に沿って三分割されているが、扱胴２２の回転軸芯Ｙ方向に沿って二分割されていても、四分割以上に分割されていてもよい。また、受網２４は、扱胴２２の回転軸芯Ｙの方向に沿って分割されず、扱胴２２の周方向に沿ってのみ二分割された形態であってもよい。すなわち、受網２４は、上記実施形態の三つの分割奥側受網体５０Ｒに相当する一つの奥側受網体と、上記実施形態の三つの分割手前側受網体５０Ｌに相当する一つの手前側受網体とに分割されていてもよい。この場合、挟持部材６０は、手前側受網体の前後幅に亘る一つの長尺部材によって構成すると好適である。
【００７０】
（４）上記実施形態において、横向き支持フレーム５１Ｙの前後側の手前側支持部５２を前後側に共用の手前側支持部５２によって構成されているが、前後側に別々に着脱可能に支持する手前側支持部を採用してもよい。
【００７１】
（５）上記実施形態において、突状部５４を備えているが、突状部５４を備えないで実施してもよい。
【００７２】
（６）上記実施形態において、挟持部材６０を採用しているが、挟持部材６０を採用せず、分割手前側受網体５０Ｌの手前側端部を手前側取付けフレーム５１Ｌにボルトによって支持する構成を採用してもよい。
【００７３】
（７）上記実施形態において、挟持部材６０は、分割手前側受網体５０Ｌの前後副に亘る長尺部材によって構成されているが、分割手前側受網体５０Ｌの前後副に至らない長さの部材によって構成してもよい。
【産業上の利用可能性】
【００７４】
本発明は、普通型コンバインに搭載される脱穀装置の他、自脱型コンバインに搭載され脱穀装置に利用可能である。また、トウモロコシ等の各種の作物を脱穀処理する脱穀装置に利用可能である。
【符号の説明】
【００７５】
２０ｓ        側壁
２１          扱室
２２          扱胴
２４          受網
５０Ｌ        分割手前側受網体
５０Ｒ        分割奥側受網体
５２          手前側支持部
５４          突状部
５５          切欠部
５６          載置部
５７          連結部
５９          奥側支持部
６０          挟持部材
６２          連結ボルト
【図１】
2019010071.tif 000003
【図２】
2019010071.tif 000004
【図３】
2019010071.tif 000005
【図４】
2019010071.tif 000006
【図５】
2019010071.tif 000007
【図６】
2019010071.tif 000008
【図７】
2019010071.tif 000009
【図８】
2019010071.tif 000010
【図９】
2019010071.tif 000011
【図１０】
2019010071.tif 000012
【図１１】
2019010071.tif 000013
【図１２】
2019010071.tif 000014
【図１３】
2019010071.tif 000015
【図１４】
2019010071.tif 000016
【図１５】
2019010071.tif 000017
【図１６】
2019010071.tif 000018
【図１７】
2019010071.tif 000019